(57)【要約】【課題】装飾性に富み、留める作業及び取り外す作業がきわめて簡単な装飾用チェーンを開発する。【解決手段】受片と掛止片の各１個ずつ以上をチェーンの端部又は中間部に備える。受片は、板状本体に表裏貫通する開口を有する。掛止片は、表側板と該表側板から所望の距離離れて平行に配置される裏側板とこれらを連結一体化する連結部からなり、表側板及び連結部が前記開口を通過可能となっている。前記開口に表側板を通過させ、受片を掛止片の表側板及び裏側板の間で掛止して受片と掛止片を掛止することで、チェーンをリング状に形成する。【選択図】      図１
0003132859.tif 000002
【実用新案登録請求の範囲】
【請求項１】
板状本体に表裏貫通する開口を有する受片と、
表側板と、該表側板から所望の距離離れて平行に配置される裏側板と、これらを連結一体化する連結部からなり、前記表側板及び連結部が前記開口を通過可能となっている掛止片の各１個ずつ以上をチェーンの端部又は中間部に備え、
前記開口に前記表側板を通過させ、前記受片を前記表側板及び裏側板の間で掛止して前記受片と前記掛止片を掛止することで、チェーンをリング状に形成できることを特徴とする装飾用チェーン。
【請求項２】
前記開口及び前記表側板が非円形状をなし、前記表側板の形状が前記開口と同形状で、面積が小さいものである請求項１に記載の装飾用チェーン。
【請求項３】
前記受片をチェーンの中間部に複数個設け、前記掛止片をチェーンの両端部に１個ずつ設けた請求項１又は２に記載の装飾用チェーン。
【考案の詳細な説明】
【技術分野】
【０００１】
本考案は、ネックレス、ブレスレットなどとして使用される装飾用チェーンに関する。
【背景技術】
【０００２】
従来、ネックレス、ブレスレットなどの装飾用チェーンは、両端部に対となる留め具を設け、該対となる留め具を結合することでチェーンをリング状に形成している。留め具としては、一般的なフックの他、下記特許文献に開示されているものが提案されている。
【特許文献１】特開２００４−１１３７０５号公報
【特許文献２】特開２００６−１０２３３３号公報
【特許文献３】特開２００６−２８０６９６号公報
【特許文献４】特開２００６−２８０７００号公報
【考案の開示】
【考案が解決しようとする課題】
【０００３】
留め具として一般的なフックは、装飾性がなく、従ってなるべく小さく作られ、
留めたり外したりする手間が非常に煩雑なものであった。
上記特許文献に開示されている留め具は、留めたり外したりする手間が改善されているものの、やはり装飾性がなく、また、構造が複雑で製造にコストがかかっていた。
本考案は、装飾性に富み、留める作業及び取り外す作業がきわめて簡単な装飾用チェーンを開発することを課題とするものである。
【課題を解決するための手段】
【０００４】
本考案は、板状本体に表裏貫通する開口を有する受片と、表側板と該表側板から所望の距離離れて平行に配置される裏側板とこれらを連結一体化する連結部からなり前記表側板及び連結部が前記開口を通過可能となっている掛止片の各１個ずつ以上をチェーンの端部又は中間部に備え、前記開口に前記表側板を通過させ、前記受片を前記表側板及び裏側板の間で掛止して前記受片と前記掛止片を掛止することで、チェーンをリング状に形成できることを特徴とする装飾用チェーンである。
【考案の効果】
【０００５】
本考案のチェーンは、留め具である受片及び掛止片が板状の部材で構成されているので、装飾性の高い形状を選択でき、また、その表面に宝石を埋め込むなどの装飾も可能で、きわめて装飾性が高く、チェーンの装飾の一部としてデザインすることができる。
また、受片と掛止片を掛止して留めるときは、受片の開口に掛止片の表側板を通過させ、受片と掛止片を相対的に僅かにずらすか回転させることで（重力の作用で自然にこのようになる）、掛止片と受片が掛止される。取り外すときは、開口に表側板を逆方向に通過させるだけでよい。
したがって、留める作業、取り外す作業もきわめて簡単である。
【考案を実施するための最良の形態】
【０００６】
受片の開口、及び表側板の形状は、非円形状であることが望ましい。非円形状とすることで、受片の開口に掛止片の表側板を通過させたのち、表側板が開口から抜けにくくなり、したがって、掛止片と受片が不用意に外れることがなくなる。非円形状としては、例えば、十字形、花びら形、星形など、任意である。
【０００７】
受片をチェーンの中間部に複数個設け、掛止片をチェーンの両端部に１個ずつ設けることができる。このようにすることで、後述するように、１本のチェーンを種々の留め方で種々の形状のネックレスなどとして用いることができ、バラエティーに富んだ使用をすることができる。
【０００８】
掛止片の裏側板は、表側板よりも面積のやや大きいものであることが望ましい。このようにすることで、掛止片が受片から不本意に外れることがなくなる。また、裏側板と表側板を、大きさの異なる同じ形状とすると、装飾的に優れたものとなる。
【実施例】
【０００９】
以下、実施例に関する図面に基づいて、本考案を詳細に説明する。図１は実施例の装飾用チェーン１の説明図、図２はチェーン１をリング状にした例を示す説明図、図３は受片３の説明図、図４は掛止片４の説明図、図５は受片３に掛止片４を掛止した状態の例を示す説明図、図６は図５におけるＡ−Ａ線断面図、図７〜１０はチェーン１の使用例の説明図である。
【００１０】
図１に示すように、装飾用チェーン１は、両端部に掛止片４を設け、中間部に１４個の受片をほぼ等間隔で設け、各受辺３及び掛止片４の間をチェーン本体２で連結したものである。図２は、右端の掛止片４を、左から４番目の受片３に掛止して、リング状に形成した例を示している。両端の掛止片４は、どの受片３に掛止することもできる。
【００１１】
図３は受片３の説明図で、左側が正面図、右側が側面図となっている。受片３は、楕円状の板状本体３１に十字形の表裏貫通する開口３２が形成され、両端にチェーン本体２を連結するための有孔舌片３３が形成されている。受片３は、図７などに示されるように、これ自体が装飾的デザインとなっているが、板状本体３１の表面に宝石を埋め込むなどして、さらに装飾度を上げることもできる。
【００１２】
図４は掛止片４の説明図で、左側が正面図、右側が側面図となっている。掛止片４は、十字形板状の表側板４１、十字形板状の裏側板４２、及びこれらを連結一体化する連結部４３とからなる。裏側板４２は表側板４１よりもやや大きくなっている。表側板４１と裏側板４２は、前記受片が十分に入る間隔を持って平行に配置され、表側板４１の裏面と裏側板４２の表面を円柱状の連結部４３で連結一体化している。裏側板４２の一端には、チェーン本体２を連結するための有孔舌片４４が形成されている。掛止片４は、図７などに示されるように、これ自体が装飾的デザインとなっているが、表側板４１の表面に宝石を埋め込むなどして、さらに装飾度を上げることもできる。
【００１３】
図５、６に示すのは、掛止片４の表側板４１を、受片３の裏側から開口３２を通過させ、掛止片４を９０°回転すると共に、上方に移動した状態である。これにより、受片３は掛止片４の表側板４１及び裏側板４２の間で掛止され、外れることがない。なお、掛止片４は、必ずしも、このように大きく回転、移動する必要はなく、受片と掛止片を相対的に僅かにずらすか回転させることで受片３と掛止片４が掛止される。通常は、表側板４１を、受片３の裏側から開口３２を通過させた後、手を離すと、重力の作用で受片と掛止片が相対的に移動し、自然に受片３と掛止片４が掛止される。
【００１４】
図７〜１０は、チェーン１のネックレスとしての使用例を示している。図７は、右端の掛止片４を、左から１番目の受片３に掛止して、リング状に形成した例を示している。図８は、図７の状態から掛止部分を首の裏側に移動させた状態を示している。図９は、右端の掛止片４を、左から３番目の受片３に掛止して、リング状に形成した例を示している。図１０は、右端の掛止片４を、左から６番目の受片３に掛止し、左端の掛止片４を右から４番目の受片３に掛止し、リング状に形成した例を示している。このように、チェーン１はいろいろのバリエーションで使用することができる。
【図面の簡単な説明】
【００１５】
【図１】実施例の装飾用チェーン１の説明図である。
【図２】チェーン１をリング状にした例を示す説明図である。
【図３】受片３の説明図である。
【図４】掛止片４の説明図である。
【図５】受片３に掛止片４を掛止した状態の例を示す説明図である。
【図６】図５におけるＡ−Ａ線断面図である。
【図７】チェーン１の使用例の説明図である。
【図８】チェーン１の使用例の説明図である。
【図９】チェーン１の使用例の説明図である。
【図１０】チェーン１の使用例の説明図である。
【符号の説明】
【００１６】
１  装飾用チェーン
２  チェーン本体
３  受片
３１  板状本体
３２  開口
３３  有孔舌片
４  掛止片
４１  表側板
４２  裏側板
４３  連結部
４４  有孔舌片
【図３】
0003132859.tif 000003
【図４】
0003132859.tif 000004
【図５】
0003132859.tif 000005
【図６】
0003132859.tif 000006
【図１】
0003132859.tif 000007
【図２】
0003132859.tif 000008
【図７】
0003132859.tif 000009
【図８】
0003132859.tif 000010
【図９】
0003132859.tif 000011
【図１０】
0003132859.tif 000012